(57)【要約】【課題】チャイルドロックモード中にあることを気付かれにくくし、安心・安全な動作を行うチャイルドロック装置を提供すること。【解決手段】機器を動作させるために用いられるパラメータを記憶するパラメータ記憶部１８と、機器を動作させるために用いられるダミーパラメータを記憶するダミーパラメータ記憶部１９と、チャイルドロック信号を記憶するチャイルドロックフラグ記憶部１３と、チャイルドロック信号が所定値であるか否かを判定するチャイルドロックフラグ判定部１４と、その判定に基づき、パラメータが用いられる動作からダミーパラメータが用いられる動作へ、動作信号の出力を切り替える出力切替部１５とを有する。【選択図】図２
2007032931.tif 000002
【特許請求の範囲】
【請求項１】
機器を動作させるために用いられるパラメータを記憶するパラメータ記憶部と、
機器を動作させるために用いられるダミーパラメータを記憶するダミーパラメータ記憶部と、
チャイルドロック信号を記憶するチャイルドロックフラグ記憶部と、
前記チャイルドロック信号が所定値であるか否かを判定するチャイルドロックフラグ判定部と、
前記チャイルドロックフラグ判定部の判定に基づき、前記パラメータが用いられる動作と前記ダミーパラメータが用いられる動作とのどちらか一方を行わせる動作信号の出力先を切り替える出力切替部と
を備えるチャイルドロック装置。
【請求項２】
前記動作信号により、前記パラメータに基づき機器の動作を制御する通常モード制御部と、
前記動作信号により、前記ダミーパラメータに基づき機器の動作を制御するチャイルドロックモード制御部とを更に備え、
前記出力切替部は、前記チャイルドロックフラグ判定部の判定に基づき前記通常モード制御部と前記チャイルドロックモード制御部とのどちらか一方へ、前記動作信号の出力を切り替える請求項１記載のチャイルドロック装置。
【請求項３】
前記出力切替部は、前記動作信号に基づく処理を行う動作部を制御する前記通常モード制御部と、前記動作信号に基づく処理を表示する表示部を制御する前記チャイルドロックモード制御部とのどちらか一方へ、前記動作信号の出力を切り替える請求項２記載のチャイルドロック装置。
【請求項４】
前記表示部は、所定画像を表示する、請求項３記載のチャイルドロック装置。
【請求項５】
前記出力切替部は、前記動作信号に基づく処理を行う動作部を制御する前記通常モード制御部と、前記動作信号に基づく処理を音として出力する発音部を制御する前記チャイルドロックモード制御部とのどちらか一方へ、前記動作信号の出力を切り替える請求項２記載のチャイルドロック装置。
【請求項６】
前記発音部は、所定音を出力する、請求項５記載のチャイルドロック装置。
【請求項７】
前記パラメータが用いられる動作から前記ダミーパラメータが用いられる動作へ切り替えられるときに、前記パラメータの値を前記ダミーパラメータの値とする請求項１乃至請求項６のいずれかに記載のチャイルドロック装置。
【請求項８】
機器を動作させるために用いられるパラメータを記憶するパラメータ記憶部と、
前記機器を動作させるために用いられるダミーパラメータを記憶するダミーパラメータ記憶部と、
チャイルドロック信号を記憶するチャイルドロックフラグ記憶部と、
前記チャイルドロック信号が所定値であるか否かを判定するチャイルドロックフラグ判定部と、
前記チャイルドロックフラグ判定部の判定に基づき、前記パラメータが用いられる動作と前記ダミーパラメータが用いられる動作とのどちらか一方を行わせる動作信号の出力先を切り替える出力切替部と
を備えるチャイルドロック機能付き機器。
【請求項９】
機器を動作させるために用いられるパラメータをパラメータ記憶部に記憶させるステップと、
機器を動作させるために用いられるダミーパラメータをダミーパラメータ記憶部に記憶させるステップと、
チャイルドロック信号をチャイルドロックフラグ記憶部に記憶させるステップと、
前記チャイルドロック信号が所定値であるか否かをチャイルドロックフラグ判定部に判定させるステップと、
前記チャイルドロックフラグ判定部の判定に基づき、前記パラメータが用いられる動作と前記ダミーパラメータが用いられる動作とのどちらか一方を行わせるように、出力切替部に動作信号の出力先を切り替えさせるステップと
を有するチャイルドロック機能切替方法。
【請求項１０】
コンピュータに、
機器を動作させるために用いられるパラメータを記憶させる手順と、
機器を動作させるために用いられるダミーパラメータを記憶させる手順と、
チャイルドロック信号を記憶させる手順と、
前記チャイルドロック信号が所定値であるか否かを判定させる手順と、
前記チャイルドロック信号の判定に基づき、前記パラメータが用いられる動作と前記ダミーパラメータが用いられる動作とのどちらか一方を行わせる動作信号の出力先を切り替えさせる手順と
を実行させるためのチャイルドロック機能切替用プログラム。
【請求項１１】
機器を動作させるために用いられるパラメータを記憶するパラメータ記憶部と、
機器を動作させるために用いられるダミーパラメータを記憶するダミーパラメータ記憶部と、
チャイルドロック信号を記憶するチャイルドロックフラグ記憶部と、
前記チャイルドロック信号が所定値であるか否かを判定するチャイルドロックフラグ判定部と、
前記チャイルドロックフラグ判定部の判定に基づき、前記パラメータが用いられる動作と前記ダミーパラメータが用いられる動作とのどちらか一方を行わせる動作信号の出力先を切り替える出力切替部とを備えるチャイルドロック機能切替用集積回路。
【発明の詳細な説明】
【技術分野】
【０００１】
本発明は、チャイルドロック装置などに関するものである。
【背景技術】
【０００２】
従来、子供のいたずらによるエアコンの誤動作を防ぐために、チャイルドロックモード中にリモコンを操作すると、故障診断信号を送信し、エアコン本体では動作をせずに音だけを発するというチャイルドロック装置が知られている（例えば、特許文献１参照）。
【特許文献１】特開平９−６０９５０号公報
【発明の開示】
【発明が解決しようとする課題】
【０００３】
しかしながら、従来のチャイルドロック装置では、エアコン本体の発する音が、通常の操作信号を受信したときの音「ピッピッ」とは異なる音「ピー」になり、子供にも容易にチャイルドロックモード中であることを気付かれるという問題があった。
【０００４】
本発明はかかる点に鑑みなされたものであり、チャイルドロックモード中にあることを気付かれにくくし、安心・安全な動作を行うチャイルドロック装置などを提供することを目的とする。
【課題を解決するための手段】
【０００５】
前記従来の課題を解決するために、本発明のチャイルドロック装置は、機器を動作させるために用いられるパラメータを記憶するパラメータ記憶部と、機器を動作させるために用いられるダミーパラメータを記憶するダミーパラメータ記憶部と、チャイルドロック信号を記憶するチャイルドロックフラグ記憶部と、チャイルドロック信号が所定値であるか否かを判定するチャイルドロックフラグ判定部と、チャイルドロックフラグ判定部の判定に基づき、パラメータが用いられる動作とダミーパラメータが用いられる動作とのどちらか一方を行わせる動作信号の出力先を切り替える出力切替部とを備える。
【０００６】
この構成により、チャイルドロック信号に基づき、パラメータが用いられる動作とダミーパラメータが用いられる動作とを確実に切り替えることができ、誤動作が生じることがなくなる。
【０００７】
また、本発明のチャイルドロック装置は、動作信号により、パラメータに基づき機器の動作を制御する通常モード制御部と、動作信号により、ダミーパラメータに基づき機器の動作を制御するチャイルドロックモード制御部とを更に備え、出力切替部は、チャイルドロックフラグ判定部の判定に基づき通常モード制御部とチャイルドロックモード制御部とのどちらか一方へ、動作信号の出力を切り替えることが好ましい。
【０００８】
この構成により、通常モード時とチャイルドロックモード時とでパラメータの異なる制御部同士を切り替えて用い、各動作を確実なものとすることができる。
【０００９】
また、本発明のチャイルドロック装置では、出力切替部は、動作信号に基づく処理を行う動作部を制御する通常モード制御部と、動作信号に基づく処理を表示する表示部を制御するチャイルドロックモード制御部とのどちらか一方へ、動作信号の出力を切り替えることが好ましい。
【００１０】
この構成により、チャイルドロックモード時であっても、表示部が動作信号に基づく処理を表示するので、子供にチャイルドロックモード中であることを気付かれなくすることができる。
【００１１】
また、本発明のチャイルドロック装置では、表示部は、所定画像を表示することが好ましい。
【００１２】
この構成により、大人は所定画像を見て、チャイルドロックモード中であることを確認することができる。
【００１３】
また、本発明のチャイルドロック装置では、出力切替部は、動作信号に基づく処理を行う動作部を制御する通常モード制御部と、動作信号に基づく処理を音として出力する発音部を制御するチャイルドロックモード制御部とのどちらか一方へ、動作信号の出力を切り替えることが好ましい。
【００１４】
この構成により、チャイルドロックモード時であっても、発音部が動作信号に基づく音を出力するので、子供にチャイルドロックモード中であることを気付かれなくすることができる。
【００１５】
また、本発明のチャイルドロック装置では、発音部は、所定音を出力することが好ましい。
【００１６】
この構成により、大人は所定音を聞いて、チャイルドロックモード中であることを確認することができる。
【００１７】
また、本発明のチャイルドロック装置では、パラメータが用いられる動作からダミーパラメータが用いられる動作へ切り替えられるときに、パラメータの値をダミーパラメータの値とすることが好ましい。
【００１８】
この構成により、通常モードとチャイルドロックモードとの間で、表示や音の整合がとれ、子供にチャイルドロックモード中であることを気付かれ難くなる。
【００１９】
本発明のチャイルドロック機能付き機器は、機器を動作させるために用いられるパラメータを記憶するパラメータ記憶部と、機器を動作させるために用いられるダミーパラメータを記憶するダミーパラメータ記憶部と、チャイルドロック信号を記憶するチャイルドロックフラグ記憶部と、チャイルドロック信号が所定値であるか否かを判定するチャイルドロックフラグ判定部と、チャイルドロックフラグ判定部の判定に基づき、パラメータが用いられる動作とダミーパラメータが用いられる動作とのどちらか一方を行わせる動作信号の出力先を切り替える出力切替部とを備える。
【００２０】
この構成により、チャイルドロック信号に基づき、パラメータが用いられる動作とダミーパラメータが用いられる動作とを確実に切り替えることができ、誤動作が生じることがなくなる。
【００２１】
本発明のチャイルドロック機能切替方法は、機器を動作させるために用いられるパラメータをパラメータ記憶部に記憶させるステップと、機器を動作させるために用いられるダミーパラメータをダミーパラメータ記憶部に記憶させるステップと、チャイルドロック信号をチャイルドロックフラグ記憶部に記憶させるステップと、チャイルドロック信号が所定値であるか否かをチャイルドロックフラグ判定部に判定させるステップと、チャイルドロックフラグ判定部の判定に基づき、パラメータが用いられる動作とダミーパラメータが用いられる動作とのどちらか一方を行わせるように、出力切替部に動作信号の出力先を切り替えさせるステップとを有する。
【００２２】
この構成により、チャイルドロック信号に基づき、パラメータが用いられる動作とダミーパラメータが用いられる動作とを確実に切り替えることができ、誤動作が生じることがなくなる。
【００２３】
本発明のチャイルドロック機能切替用プログラムは、コンピュータに、機器を動作させるために用いられるパラメータを記憶させる手順と、機器を動作させるために用いられるダミーパラメータを記憶させる手順と、チャイルドロック信号を記憶させる手順と、チャイルドロック信号が所定値であるか否かを判定させる手順と、チャイルドロック信号の判定に基づき、パラメータが用いられる動作とダミーパラメータが用いられる動作とのどちらか一方を行わせる動作信号の出力先を切り替えさせる手順とを実行させるためのものである。
【００２４】
この構成により、チャイルドロック信号に基づき、パラメータが用いられる動作とダミーパラメータが用いられる動作とを確実に切り替えることができ、誤動作が生じることがなくなる。
【００２５】
本発明のチャイルドロック機能切替用集積回路は、機器を動作させるために用いられるパラメータを記憶するパラメータ記憶部と、機器を動作させるために用いられるダミーパラメータを記憶するダミーパラメータ記憶部と、チャイルドロック信号を記憶するチャイルドロックフラグ記憶部と、チャイルドロック信号が所定値であるか否かを判定するチャイルドロックフラグ判定部と、チャイルドロックフラグ判定部の判定に基づき、パラメータが用いられる動作とダミーパラメータが用いられる動作とのどちらか一方を行わせる動作信号の出力先を切り替える出力切替部とを備える。
【００２６】
この構成により、チャイルドロック信号に基づき、パラメータが用いられる動作とダミーパラメータが用いられる動作とを確実に切り替えることができ、誤動作が生じることがなくなる。
【発明の効果】
【００２７】
本発明によれば、子供が大人の真似をしようと思って機器の操作キーを押した場合に、大人にとって不都合な誤動作が起こらず、かつ、機器が子供にとって期待通りの反応を示すため、チャイルドロックモード中であることを気付かれずに済ますことができるチャイルドロック装置などを提供することができる。
【発明を実施するための最良の形態】
【００２８】
以下、本発明の実施の形態について、図面を参照して説明する。
【００２９】
（実施の形態１）
本実施の形態１はファンヒータにおけるチャイルドロック装置の例である。
【００３０】
チャイルドロックモード中は温度設定変更の操作キーが押されても設定温度は変えないが、見かけ上は表示が変わったり、「ピッ」と音が出たりする。
【００３１】
図１は、本実施の形態１におけるチャイルドロック装置を用いたファンヒータの外観を示す図である。
【００３２】
図１において、ファンヒータ本体１の正面に噴出し口２、上面に操作パネル３が設けられている。また、操作パネル３の表面には、設定温度変更操作キー４、表示部５、チャイルドロックランプ６、及び運転スイッチ７が設けられている。
【００３３】
設定温度変更操作キー４は、ユーザが設定温度を変更したいときに押すキーで、ユーザが押下する度に１℃ずつ設定温度を上下させることができる。温度を上げる△キーと、温度を下げる▽キーの２種類がある。表示部５は設定温度を表示する液晶画面である。チャイルドロックランプ６はチャイルドロックモード時に点灯、通常モード時に消灯するランプである。チャイルドロックランプ６は目立たないように小さく隅の方に配置することが望ましい。また、チャイルドロックモードであるか否かを表示するのに、チャイルドロックランプ６ではなく表示部５の液晶画面の一部を用いるようにしても良い。運転スイッチ７はファンヒータの運転の入／切スイッチである。ここでは、２つの設定温度変更操作キー４を同時に押下することによりチャイルドロックモードと通常モードとの切り替えができる。通常モード時は、設定温度変更操作キー４を一つ押下することにより、設定温度を変更することができる。通常モード時に、２つの設定温度変更操作キー４を同時に押下するとチャイルドロックモードとなり、チャイルドロックランプ６が点灯する。チャイルドロックモード時に、２つの設定温度変更操作キー４を同時に押下すると通常モードとなり、チャイルドロックランプ６が消灯する。
【００３４】
図２は、本実施の形態１のチャイルドロック装置の構成を示すブロック図である。このチャイルドロック装置１１は、制御部１２、チャイルドロックフラグ記憶部１３、チャイルドロックフラグ判定部１４、出力切替部１５、通常モード制御部１６、チャイルドロックモード制御部１７、パラメータ記憶部１８、ダミーパラメータ記憶部１９を有している。また、ファンヒータは、チャイルドロック装置１１に関連する機能として、表示部５、チャイルドロックランプ６の他に入力部２０、スピーカ２１、ヒータ２２を有している。
【００３５】
図３は、本実施の形態１のチャイルドロック装置を用いたファンヒータの動作手順を示すフロー図である。以下、図２及び図３を用いてこの動作手順を説明する。
【００３６】
最初に制御部１２がチャイルドロックフラグ記憶部１３に格納されているチャイルドロックフラグ（チャイルドロック信号）を０に初期化する（ステップＳ１０１）。以下、通常モード時のチャイルドロックフラグの値を０、チャイルドロックモード時の同フラグの値を１とする。
【００３７】
その後、入力部２０がキースキャンを行う（ステップＳ１０２）。
【００３８】
どれかのキーが押下されるまではステップＳ１０２にとどまり、どれかのキーが押下されると、制御部１２が設定温度変更操作キー４が２つ同時に押されたかどうかを判定する。
【００３９】
２つ同時に押されていれば（ステップＳ１０３、Ｙ）、通常モードとチャイルドロックモードとの切り替えを行う。チャイルドロック判定部１４が、制御部１２を介して、チャイルドロックフラグ記憶部１３に格納されているチャイルドロックフラグを参照する。現在がチャイルドロックモード、すなわちチャイルドロックフラグの値が１であれば（ステップＳ１０４、Ｎ）、やはり制御部１２を介して、チャイルドロックフラグに０を代入してチャイルドロックフラグ記憶部１３に格納する（ステップＳ１０５）。
【００４０】
そして、チャイルドロック判定部１４の判定に基づき、出力切替部１５は、制御部１２からの動作信号の出力先を通常モード制御部１６にして、チャイルドロックランプ６を消灯させ（ステップＳ１０６）、ステップＳ１０２にもどる。
【００４１】
ステップＳ１０４で現在が通常モード、すなわちチャイルドロックフラグの値が０であれば（ステップＳ１０４、Ｙ）、チャイルドロックフラグに１を代入してチャイルドロックフラグ記憶部１３に格納する（ステップＳ１０７）。そして、チャイルドロック判定部１４の判定に基づき、出力切替部１５は、制御部１２からの動作信号の出力先をチャイルドロックモード制御部１７にして、チャイルドロックランプ６を点灯させる（ステップＳ１０８）。また、制御部１２がパラメータ記憶部１８に格納されている現在の設定温度をダミー設定温度にコピーし、ダミーパラメータ記憶部１９に記憶しておく（ステップＳ１０９）。そして、ステップＳ１０２にもどる。
【００４２】
ステップＳ１０３で、制御部１２が設定温度変更操作キー４は２つ同時に押されていないと判定すると（ステップＳ１０３、Ｎ）、改めて、制御部１２が設定温度変更操作キー４は１つ押されているかどうか判定し、１つしか押されていない（ステップＳ１１０、Ｎ）、例えば、連続して押されていれば、ステップＳ１０２へ戻る。
【００４３】
ステップＳ１１０で、制御部１２が設定温度変更操作キー４は１つだけ押されていると判定すると（ステップＳ１１０、Ｙ）、チャイルドロックフラグ判定部１４が制御部１２を介してチャイルドロックフラグ記憶部１３に格納されているチャイルドロックフラグを参照する。そして、チャイルドロックフラグの値が０であれば（ステップＳ１１１、Ｙ）、通常モード用の動作を行い、チャイルドロックフラグの値が１であれば（ステップＳ１１１、Ｎ）、チャイルドロックモード用の動作を行う。
【００４４】
通常モードでは、チャイルドロック判定部１４の判定に基づき、出力切替部１５は制御部１２からの動作信号を通常モード制御部１６に出力する。そして、通常モード制御部１６が発音部であるスピーカ２１で音「ピッ」を鳴らし（ステップＳ１１２）、押下された操作キーに対応してパラメータ記憶部１８に格納されている設定温度を変更し、実際の動作として動作部であるヒータ２２の温度を変える（ステップＳ１１３）。また、変更された温度の数字を表示部５に表示させる（ステップＳ１１４）。
【００４５】
これに対し、チャイルドロックモードでは、チャイルドロック判定部１４の判定に基づき、出力切替部１５が制御部１２からの動作信号をチャイルドロックモード制御部１７に出力する。そして、チャイルドロックモード制御部１７がスピーカ２１で音「ピッ」を鳴らす（ステップＳ１１５）のはステップＳ１１２と同じであるが、その後ダミーパラメータ記憶部１９に格納されているダミー設定温度を操作キーに対応して変更するだけで、実際の動作はせず、つまり、ヒータの温度は変えない（ステップＳ１１６）。そして、変更されたダミー設定温度の数字を表示部５に表示させる（ステップＳ１１７）。これにより、見かけ上は通常モードと同じような音が鳴り、表示がなされるようになる。大人はチャイルドロックランプ６の点灯状態を見ることによって、表示されている数字がダミーであるかそうでないかを判断することができる。また、ダミーの設定温度を表示するのは一定時間のみとし、一定時間後には自動的に正しい設定温度を表示するようにさせる方法をとってもよい。
【００４６】
ステップＳ１０３からステップＳ１１７の処理が終了したら、再びステップＳ１０２へもどりキースキャンを行う。
【００４７】
本実施の形態１では、ファンヒータの温度設定操作の例を説明したが、他に例えば、テレビのチャンネル操作や音量操作など、他の機器でも同様のチャイルドロック機能を付加することができる。テレビのチャンネル操作では、リモコンのボタンを押すと画面が変わることは子供にも明らかなので、子供はそれを期待してリモコンを押してみたいという欲求に駆られる。このような場合には、一定時間だけチャンネルを切り替え、一定時間後には元のチャンネルに自動的に戻るようにすると、子供は自分で操作をした気分になり満足し、大人は子供が遊んだあとチャンネルを戻す手間がいらなくなる。
【００４８】
（実施の形態２）
本実施の形態２は、パソコンにおけるチャイルドロック装置の例である。これは、チャイルドロックモード中は、ごく簡単な操作のみが行える簡易操作モードとすることによってそれ以外の操作はできなくしてしまい、子供が関係のないキーを押しても誤動作しないようにするものである。
【００４９】
図４は本実施の形態２のパソコンにおける動作手順を示すフロー図である。なお、本実施の形態２においても、図２に示した実施の形態１におけるものと同様のモード切り替えにかかるチャイルドロック装置を用いることができる。
【００５０】
最初にチャイルドロックフラグを０に初期化する（ステップＳ２０１）。実施の形態1と同様に、以下、通常モード時のチャイルドロックフラグの値を０、チャイルドロックモード時の同フラグの値を１とする。その後、キースキャンを行う（ステップＳ２０２）。どれかのキーが押下されるまではステップＳ２０２にとどまり、どれかのキーが押下されると、チャイルドロック切り替え操作かどうか判定する（ステップＳ２０３）。チャイルドロックモードと通常モードとの切り替えは、あらかじめ決められたキー操作によって行う。たとえば、ＡＬＴキーとＢＳキーを同時に押下するなどとする。
【００５１】
ステップＳ２０３で、チャイルドロック切り替え操作と判定される（ステップＳ２０３、Ｙ）と、現在のモードを確認し、現在がチャイルドロックモード、すなわちチャイルドロックフラグの値が１であれば（ステップＳ２０４、Ｙ）、チャイルドロックフラグに０を代入し（ステップＳ２０５）、現在が通常モード、すなわちチャイルドロックフラグの値が０であれば（ステップＳ２０４、Ｎ）、チャイルドロックフラグに１を代入する（ステップＳ２０６）。そして、ステップＳ２０２にもどる。
【００５２】
ステップＳ２０３で、チャイルドロック切り替え操作ではないと判定されると（ステップＳ２０３、Ｎ）、現在のモードを確認し、現在が通常モード、すなわちチャイルドロックフラグの値が０であれば（ステップＳ２０７、Ｎ）、通常モードの操作を行い（ステップＳ２０８）、現在がチャイルドロックモード、すなわちチャイルドロックフラグの値が１であれば（ステップＳ２０７、Ｙ）、簡易操作モードの操作を行う（ステップＳ２０９）。
【００５３】
次に、簡易操作モードについて説明する。
【００５４】
簡易操作モードでは、例えば、リターンキー以外のキー操作をすべて無効にする。リターンキーが押されるたびに、あらかじめ登録されている画像を画面に次々に表示する。画像はあらかじめ用意されたものの他に、ユーザが自分で登録できるようにする。またマウスをクリックすると効果音が出たり、音楽が鳴ったりするようにしてもよい。このような簡易操作モードを用意することにより、子供はチャイルドロックモード中であることに気づかずに自分が操作している気分になる。また、簡易操作モードでは、どのキーを押しても画像の表示など決まった操作しか実行されないため、親は子供のいたずらによりパソコンの環境設定が変わったり、パソコン自体が壊れたりする心配をしなくてすむようになる。
【００５５】
なお、簡易操作モードでの動作設定は、例えば、実施の形態１のダミーパラメータ記憶部１９のようなものに記憶させておくこともできる。
【００５６】
また、ステップＳ２０３からステップＳ２０９の処理が終了したら再びステップＳ２０２へ戻りキースキャンを行う。
【００５７】
本発明はファンヒータ、パソコンだけでなく、携帯電話など他の機器でも実施可能である。
【産業上の利用可能性】
【００５８】
本発明にかかるチャイルドロック装置などは、子供のいたずらにより機器が誤動作せずに、子供の知的好奇心を満足させるという効果を有し、さまざまな機器に有用である。
【図面の簡単な説明】
【００５９】
【図１】本発明の実施の形態１のチャイルドロック装置を用いたファンヒータの外観を示す図
【図２】本発明の実施の形態１のチャイルドロック装置の構成を示すブロック図
【図３】本発明の実施の形態１のチャイルドロック装置を用いたファンヒータの動作手順を示すフロー図
【図４】本発明の実施の形態２のチャイルドロック装置を用いたパソコンの動作手順を示すフロー図
【符号の説明】
【００６０】
１    ファンヒータ本体
２    噴出し口
３    操作パネル
４    設定温度変更操作キー
５    表示部
６    チャイルドロックランプ
７    運転スイッチ
１１    チャイルドロック装置
１２    制御部
１３    チャイルドロックフラグ記憶部
１４    チャイルドロックフラグ判定部
１５    出力切替部
１６    通常モード制御部
１７    チャイルドロックモード制御部
１８    パラメータ記録部
１９    ダミーパラメータ記憶部
２０    入力部
２１    スピーカ
２２    ヒータ
【図１】
2007032931.tif 000003
【図２】
2007032931.tif 000004
【図３】
2007032931.tif 000005
【図４】
2007032931.tif 000006